【手続補正書】
【提出日】平成19年10月12日(2007.10.12)
【手続補正１】
【補正対象書類名】特許請求の範囲
【補正対象項目名】全文
【補正方法】変更
【補正の内容】
【特許請求の範囲】
【請求項１】
複数の画像ファイルからいくつかの画像を選択し、前記選択した画像をレイアウトして印刷する画像印刷システムにおいて、
前記複数の画像ファイルの縮小画像に、画像ファイルを特定する画像特定符号を付したインデックスプリントを印刷するインデックス印刷手段と、
１つまたは複数の選択画像を指定するための画像特定符号と、前記選択画像のレイアウトとを記入するレイアウトフォームを印刷するレイアウトフォーム印刷手段と、
前記選択画像と選択画像のレイアウトとが記入済みのレイアウトフォームを画像情報として読み取るレイアウトフォーム読み取り手段と、
前記レイアウトフォーム読み取り手段により読み取った画像情報から前記選択画像と選択画像のレイアウトとを判別するレイアウト判別手段と、
前記レイアウト判別手段により判別した選択画像と選択画像のレイアウトとに基づいて選択画像を印刷するレイアウト印刷手段とを有することを特徴とする画像印刷システム。
【請求項２】
複数の画像ファイルからいくつかを選択し、選択した画像をレイアウトして印刷する画像印刷システムにおいて、
複数の画像ファイルの縮小画像に画像ファイルを特定するためのマーク記入欄を付したインデックスプリントを印刷するインデックス印刷手段と、
１つまたは複数の選択画像を指定するためのマークと、前記選択画像のレイアウトとを記入するレイアウトフォームを印刷するレイアウトフォーム印刷手段と、
記入済みのインデックス印刷を画像情報として読み取るインデックス印刷読み取り手段と、
記入済みのレイアウトフォームを画像情報として読み取るレイアウトフォーム読み取り手段と、
前記読み取った画像情報から選択画像と選択画像のレイアウトとを判別するレイアウト判別手段と、
前記レイアウト判別手段により判別した選択画像と選択画像のレイアウトに基づいて選択画像を印刷するレイアウト印刷手段とを有することを特徴とする画像印刷システム。
【請求項３】
前記レイアウト判別手段により判別した選択画像と選択画像のレイアウトに基づいて選択画像をレイアウト印刷するためのスクリプトファイルを生成するスクリプトファイル生成手段を有することを特徴とする請求項１または２に記載の画像印刷システム。
【請求項４】
前記スクリプトファイルはXHTMLファイルであることを特徴とする請求項３に記載の画像印刷システム。
【請求項５】
前記スクリプトファイルは、DPOF自動プリントファイルと、選択画像を特定するID番号と選択画像の配置の情報とからなることを特徴とする請求項３に記載の画像印刷システム。
【請求項６】
前記レイアウトフォームは同じ矩形を格子状に並べたフォームであることを特徴とする請求項１または２に記載の画像印刷システム。
【請求項７】
複数の画像ファイルからいくつかの画像を選択し、前記選択した画像をレイアウトして印刷する画像印刷方法において、
前記複数の画像ファイルの縮小画像に、画像ファイルを特定する画像特定符号を付したインデックスプリントを印刷するインデックス印刷工程と、
１つまたは複数の選択画像を指定するための画像特定符号と、前記選択画像のレイアウトとを記入するレイアウトフォームを印刷するレイアウトフォーム印刷工程と、
前記選択画像と選択画像のレイアウトとが記入済みのレイアウトフォームを画像情報として読み取るレイアウトフォーム読み取り工程と、
前記レイアウトフォーム読み取り工程により読み取った画像情報から前記選択画像と選択画像のレイアウトとを判別するレイアウト判別工程と、
前記レイアウト判別工程により判別した選択画像と選択画像のレイアウトとに基づいて選択画像を印刷するレイアウト印刷工程とを有することを特徴とする画像印刷方法。
【請求項８】
複数の画像ファイルからいくつかを選択し、選択した画像をレイアウトして印刷する画像印刷方法において、
複数の画像ファイルの縮小画像に画像ファイルを特定するためのマーク記入欄を付したインデックスプリントを印刷するインデックス印刷工程と、
１つまたは複数の選択画像を指定するためのマークと、前記選択画像のレイアウトとを記入するレイアウトフォームを印刷するレイアウトフォーム印刷工程と、
記入済みのインデックス印刷を画像情報として読み取るインデックス印刷読み取り工程と、
記入済みのレイアウトフォームを画像情報として読み取るレイアウトフォーム読み取り工程と、
前記読み取った画像情報から選択画像と選択画像のレイアウトとを判別するレイアウト判別工程と、
前記レイアウト判別工程により判別した選択画像と選択画像のレイアウトに基づいて選択画像を印刷するレイアウト印刷工程とを有することを特徴とする画像印刷方法。
【請求項９】
前記レイアウト判別工程により判別した選択画像と選択画像のレイアウトとに基づいて選択画像をレイアウト印刷するためのスクリプトファイルを生成するスクリプトファイル生成工程を有することを特徴とする請求項７または８に記載の画像印刷方法。
【請求項１０】
前記スクリプトファイルはXHTMLファイルであることを特徴とする請求項９に記載の画像印刷方法。
【請求項１１】
前記スクリプトファイルは、DPOF自動プリントファイルと、選択画像を特定するID番号と選択画像の配置の情報とからなることを特徴とする請求項９に記載の画像印刷方法。
【請求項１２】
前記レイアウトフォームは同じ矩形を格子状に並べたフォームであることを特徴とする請求項７または８に記載の画像印刷方法。
【請求項１３】
前記画像特定符号は数字よりなり、前記レイアウト判別工程は文字認識により選択画像の画像特定符号を判別することを特徴とする請求項７または８に記載の画像印刷方法。
【請求項１４】
前記画像特定符号はインデックス番号であることを特徴とする請求項７または８に記載の画像印刷方法。
【請求項１５】
前記画像特定符号はファイル名であることを特徴とする請求項７または８に記載の画像印刷方法。
【請求項１６】
複数の画像ファイルからいくつかの画像を選択し、前記選択した画像をレイアウトして印刷する画像印刷方法をコンピュータに実行させるプログラムにおいて、
前記複数の画像ファイルの縮小画像に、画像ファイルを特定する画像特定符号を付したインデックスプリントを印刷するインデックス印刷工程と、
１つまたは複数の選択画像を指定するための画像特定符号と、前記選択画像のレイアウトとを記入するレイアウトフォームを印刷するレイアウトフォーム印刷工程と、
前記選択画像と選択画像のレイアウトとが記入済みのレイアウトフォームを画像情報として読み取るレイアウトフォーム読み取り工程と、
前記レイアウトフォーム読み取り工程により読み取った画像情報から前記選択画像と選択画像のレイアウトとを判別するレイアウト判別工程と、
前記レイアウト判別工程により判別した選択画像と選択画像のレイアウトとに基づいて選択画像を印刷するレイアウト印刷工程とをコンピュータに実行させることを特徴とするプログラム。
【請求項１７】
複数の画像ファイルからいくつかを選択し、選択した画像をレイアウトして印刷する画像印刷方法をコンピュータに実行させるプログラムにおいて、
複数の画像ファイルの縮小画像に画像ファイルを特定するためのマーク記入欄を付したインデックスプリントを印刷するインデックス印刷工程と、
１つまたは複数の選択画像を指定するためのマークと、前記選択画像のレイアウトとを記入するレイアウトフォームを印刷するレイアウトフォーム印刷工程と、
記入済みのインデックス印刷を画像情報として読み取るインデックス印刷読み取り工程と、
記入済みのレイアウトフォームを画像情報として読み取るレイアウトフォーム読み取り工程と、
前記読み取った画像情報から選択画像と選択画像のレイアウトとを判別するレイアウト判別工程と、
前記レイアウト判別工程により判別した選択画像と選択画像のレイアウトに基づいて選択画像を印刷するレイアウト印刷工程とをコンピュータに実行させることを特徴とするプログラム。
【請求項１８】
請求項１６または１７に記載のプログラムを記録したことを特徴とするコンピュータ読み取り可能な記録媒体。
【請求項１９】
複数の画像ファイルからいくつかの画像を選択し、前記選択した画像をレイアウトして印刷する画像印刷システムを構成するカメラであって、
前記複数の画像ファイルを生成する生成手段を有することを特徴とするカメラ。
【請求項２０】
複数の画像ファイルからいくつかの画像を選択し、前記選択した画像をレイアウトして印刷する画像印刷システムを構成する画像印刷装置であって、
前記複数の画像ファイルの縮小画像に、画像ファイルを特定する画像特定符号を付したインデックスプリントを印刷するインデックス印刷手段と、
１つまたは複数の選択画像を指定するための画像特定符号と、前記選択画像のレイアウトとを記入するレイアウトフォームを印刷するレイアウトフォーム印刷手段と、
前記選択した選択画像と選択画像のレイアウトとに基づいて選択画像を印刷するレイアウト印刷手段とを有することを特徴とする画像印刷装置。
【請求項２１】
複数の画像ファイルからいくつかを選択し、選択した画像をレイアウトして印刷する画像印刷装置において、
複数の画像ファイルの縮小画像に画像ファイルを特定するためのマーク記入欄を付したインデックスプリントを印刷するインデックス印刷手段と、
１つまたは複数の選択画像を指定するためのマークと、前記選択画像のレイアウトとを記入するレイアウトフォームを印刷するレイアウトフォーム印刷手段と、
記入済みのインデックス印刷を画像情報として読み取るインデックス印刷読み取り手段と、
記入済みのレイアウトフォームを画像情報として読み取るレイアウトフォーム読み取り手段と、
前記読み取った画像情報から選択画像と選択画像のレイアウトとを判別するレイアウト判別手段と、
前記レイアウト判別手段により判別した選択画像と選択画像のレイアウトに基づいて選択画像を印刷するレイアウト印刷手段とを有することを特徴とする画像印刷装置。
【請求項２２】
前記レイアウト判別手段により判別した選択画像と選択画像のレイアウトとに基づいて選択画像をレイアウト印刷するためのスクリプトファイルを生成するスクリプトファイル生成手段を有することを特徴とする請求項２０または２１に記載の画像印刷装置。
【請求項２３】
前記スクリプトファイルはXHTMLファイルであることを特徴とする請求項２２に記載の画像印刷装置。
【請求項２４】
前記スクリプトファイルは、DPOF自動プリントファイルと、選択画像を特定するID番号と選択画像の配置の情報とからなることを特徴とする請求項２２に記載の画像印刷装置。
【請求項２５】
前記レイアウトフォームは同じ矩形を格子状に並べたフォームであることを特徴とする請求項２０または２１に記載の画像印刷装置。
【請求項２６】
前記画像特定符号は数字よりなり、前記レイアウト判別手段は文字認識により選択画像の画像特定符号を判別することを特徴とする請求項２０に記載の画像印刷装置。
【請求項２７】
前記画像特定符号はインデックス番号であることを特徴とする請求項２０または２１に記載の画像印刷装置。
【請求項２８】
前記画像特定符号はファイル名であることを特徴とする請求項２０または２１に記載の画像印刷装置。
【請求項２９】
複数の画像ファイルからいくつかの画像を選択し、前記選択した画像をレイアウトして印刷する画像印刷システムを構成する読み取り装置であって、
所定の処理によって選択された選択画像と選択画像のレイアウトとが記入済みのレイアウトフォームを画像情報として読み取るレイアウトフォーム読み取り手段を有することを特徴とする読み取り装置。
【手続補正２】
【補正対象書類名】明細書
【補正対象項目名】０００８
【補正方法】変更
【補正の内容】
【０００８】
本発明の画像印刷システムは、複数の画像ファイルからいくつかの画像を選択し、前記選択した画像をレイアウトして印刷する画像印刷システムにおいて、前記複数の画像ファイルの縮小画像に、画像ファイルを特定する画像特定符号を付したインデックスプリントを印刷するインデックス印刷手段と、１つまたは複数の選択画像を指定するための画像特定符号と、前記選択画像のレイアウトとを記入するレイアウトフォームを印刷するレイアウトフォーム印刷手段と、前記選択画像と選択画像のレイアウトとが記入済みのレイアウトフォームを画像情報として読み取るレイアウトフォーム読み取り手段と、前記レイアウトフォーム読み取り手段により読み取った画像情報から前記選択画像と選択画像のレイアウトとを判別するレイアウト判別手段と、前記レイアウト判別手段により判別した選択画像と選択画像のレイアウトとに基づいて選択画像を印刷するレイアウト印刷手段とを有することを特徴とする。
また、本発明の画像印刷システムの他の特徴とするところは、複数の画像ファイルからいくつかを選択し、選択した画像をレイアウトして印刷する画像印刷システムにおいて、複数の画像ファイルの縮小画像に画像ファイルを特定するためのマーク記入欄を付したインデックスプリントを印刷するインデックス印刷手段と、１つまたは複数の選択画像を指定するためのマークと、前記選択画像のレイアウトとを記入するレイアウトフォームを印刷するレイアウトフォーム印刷手段と、記入済みのインデックス印刷を画像情報として読み取るインデックス印刷読み取り手段と、記入済みのレイアウトフォームを画像情報として読み取るレイアウトフォーム読み取り手段と、前記読み取った画像情報から選択画像と選択画像のレイアウトとを判別するレイアウト判別手段と、前記レイアウト判別手段により判別した選択画像と選択画像のレイアウトに基づいて選択画像を印刷するレイアウト印刷手段とを有することを特徴とする。
【手続補正３】
【補正対象書類名】明細書
【補正対象項目名】０００９
【補正方法】変更
【補正の内容】
【０００９】
本発明の画像印刷方法は、複数の画像ファイルからいくつかの画像を選択し、前記選択した画像をレイアウトして印刷する画像印刷方法において、前記複数の画像ファイルの縮小画像に、画像ファイルを特定する画像特定符号を付したインデックスプリントを印刷するインデックス印刷工程と、１つまたは複数の選択画像を指定するための画像特定符号と、前記選択画像のレイアウトとを記入するレイアウトフォームを印刷するレイアウトフォーム印刷工程と、前記選択画像と選択画像のレイアウトとが記入済みのレイアウトフォームを画像情報として読み取るレイアウトフォーム読み取り工程と、前記レイアウトフォーム読み取り工程により読み取った画像情報から前記選択画像と選択画像のレイアウトとを判別するレイアウト判別工程と、前記レイアウト判別工程により判別した選択画像と選択画像のレイアウトとに基づいて選択画像を印刷するレイアウト印刷工程とを有することを特徴とする。
また、本発明の画像印刷方法の他の特徴とするところは、複数の画像ファイルからいくつかを選択し、選択した画像をレイアウトして印刷する画像印刷方法において、複数の画像ファイルの縮小画像に画像ファイルを特定するためのマーク記入欄を付したインデックスプリントを印刷するインデックス印刷工程と、１つまたは複数の選択画像を指定するためのマークと、前記選択画像のレイアウトとを記入するレイアウトフォームを印刷するレイアウトフォーム印刷工程と、記入済みのインデックス印刷を画像情報として読み取るインデックス印刷読み取り工程と、記入済みのレイアウトフォームを画像情報として読み取るレイアウトフォーム読み取り工程と、前記読み取った画像情報から選択画像と選択画像のレイアウトとを判別するレイアウト判別工程と、前記レイアウト判別工程により判別した選択画像と選択画像のレイアウトに基づいて選択画像を印刷するレイアウト印刷工程とを有することを特徴とする。
【手続補正４】
【補正対象書類名】明細書
【補正対象項目名】００１０
【補正方法】変更
【補正の内容】
【００１０】
本発明のプログラムは、複数の画像ファイルからいくつかの画像を選択し、前記選択した画像をレイアウトして印刷する画像印刷方法をコンピュータに実行させるプログラムにおいて、前記複数の画像ファイルの縮小画像に、画像ファイルを特定する画像特定符号を付したインデックスプリントを印刷するインデックス印刷工程と、１つまたは複数の選択画像を指定するための画像特定符号と、前記選択画像のレイアウトとを記入するレイアウトフォームを印刷するレイアウトフォーム印刷工程と、前記選択画像と選択画像のレイアウトとが記入済みのレイアウトフォームを画像情報として読み取るレイアウトフォーム読み取り工程と、前記レイアウトフォーム読み取り工程により読み取った画像情報から前記選択画像と選択画像のレイアウトとを判別するレイアウト判別工程と、
前記レイアウト判別工程により判別した選択画像と選択画像のレイアウトとに基づいて選択画像を印刷するレイアウト印刷工程とをコンピュータに実行させることを特徴とする。
また、本発明のプログラムの他の特徴とするところは、複数の画像ファイルからいくつかを選択し、選択した画像をレイアウトして印刷する画像印刷方法をコンピュータに実行させるプログラムにおいて、複数の画像ファイルの縮小画像に画像ファイルを特定するためのマーク記入欄を付したインデックスプリントを印刷するインデックス印刷工程と、１つまたは複数の選択画像を指定するためのマークと、前記選択画像のレイアウトとを記入するレイアウトフォームを印刷するレイアウトフォーム印刷工程と、記入済みのインデックス印刷を画像情報として読み取るインデックス印刷読み取り工程と、記入済みのレイアウトフォームを画像情報として読み取るレイアウトフォーム読み取り工程と、前記読み取った画像情報から選択画像と選択画像のレイアウトとを判別するレイアウト判別工程と、前記レイアウト判別工程により判別した選択画像と選択画像のレイアウトに基づいて選択画像を印刷するレイアウト印刷工程とをコンピュータに実行させることを特徴とする。
【手続補正５】
【補正対象書類名】明細書
【補正対象項目名】００１１
【補正方法】変更
【補正の内容】
【００１１】
本発明の記録媒体は、前記に記載のプログラムを記録したことを特徴とする。
【手続補正６】
【補正対象書類名】明細書
【補正対象項目名】００１２
【補正方法】変更
【補正の内容】
【００１２】
本発明のカメラは、複数の画像ファイルからいくつかの画像を選択し、前記選択した画像をレイアウトして印刷する画像印刷システムを構成するカメラであって、前記複数の画像ファイルを生成する生成手段を有することを特徴とする。
【手続補正７】
【補正対象書類名】明細書
【補正対象項目名】００１３
【補正方法】変更
【補正の内容】
【００１３】
本発明の画像印刷装置は、複数の画像ファイルからいくつかの画像を選択し、前記選択した画像をレイアウトして印刷する画像印刷システムを構成する画像印刷装置であって、
前記複数の画像ファイルの縮小画像に、画像ファイルを特定する画像特定符号を付したインデックスプリントを印刷するインデックス印刷手段と、１つまたは複数の選択画像を指定するための画像特定符号と、前記選択画像のレイアウトとを記入するレイアウトフォームを印刷するレイアウトフォーム印刷手段と、前記選択した選択画像と選択画像のレイアウトとに基づいて選択画像を印刷するレイアウト印刷手段とを有することを特徴とする。
また、本発明の画像印刷装置の他の特徴とするところは、複数の画像ファイルからいくつかを選択し、選択した画像をレイアウトして印刷する画像印刷装置において、複数の画像ファイルの縮小画像に画像ファイルを特定するためのマーク記入欄を付したインデックスプリントを印刷するインデックス印刷手段と、１つまたは複数の選択画像を指定するためのマークと、前記選択画像のレイアウトとを記入するレイアウトフォームを印刷するレイアウトフォーム印刷手段と、記入済みのインデックス印刷を画像情報として読み取るインデックス印刷読み取り手段と、記入済みのレイアウトフォームを画像情報として読み取るレイアウトフォーム読み取り手段と、前記読み取った画像情報から選択画像と選択画像のレイアウトとを判別するレイアウト判別手段と、前記レイアウト判別手段により判別した選択画像と選択画像のレイアウトに基づいて選択画像を印刷するレイアウト印刷手段とを有することを特徴とする。